(57)【要約】【課題】通信モードの切り替えによる無駄な電力消費を抑制することが可能な携帯端末システム、携帯端末、通信モード切替方法及びプログラムを提供する。【解決手段】近距離通信装置と、前記近距離通信装置との近距離通信時に予め設定された１ないし複数の通信方式の通信モードへ切り替える制御部を備える携帯端末と、からなる携帯端末システムにおいて、前記携帯端末の制御部は１ないし複数の通信方式の通信モードに切り替え後に、所定の時間間隔の電界強度のサーチにより圏外の通信方式を検出した場合に、当該圏外の通信方式のサーチの時間間隔を拡大することを特徴とする携帯端末システム。【選択図】図１
2010103646.tif 000002
【特許請求の範囲】
【請求項１】
近距離通信装置と、前記近距離通信装置との近距離通信時に予め設定された１ないし複数の通信方式の通信モードへ切り替える制御部を備える携帯端末と、からなる携帯端末システムにおいて、前記携帯端末の制御部は１ないし複数の通信方式の通信モードに切り替え後、所定の時間間隔の電界強度のサーチにより圏外の通信方式を検出した場合に、当該圏外の通信方式の前記サーチの時間間隔を拡大することを特徴とする携帯端末システム。
【請求項２】
前記携帯端末の制御部は、前記サーチの時間間隔を拡大した通信方式が圏内に移行した場合に、当該通信方式のサーチの時間間隔を元に戻すことを特徴とする請求項１記載の携帯端末システム。
【請求項３】
前記携帯端末の制御部は、ユーザ操作部からの操作により前記近距離通信装置及び切り替える前記１ないし複数の通信方式を予め登録、設定することを特徴とする請求項１又は２記載の携帯端末システム。
【請求項４】
前記携帯端末の制御部は、ユーザ操作部からの操作により切り替える通信方式の端末設定を予め設定し、通信方式の切り替え時に端末設定を行うことを特徴とする請求項１から３の何れかの請求項記載の携帯端末システム。
【請求項５】
前記通信モードの切り替えは、少なくとも携帯電話機網を使った移動体通信方式と無線ＬＡＮ通信との間の切り替えを含むことを特徴とする請求項１から４の何れかの請求項記載の携帯端末システム。
【請求項６】
前記近距離通信は、非接触ＩＣカードによる通信であることを特徴とする請求項１から５の何れかの請求項記載の携帯端末システム。
【請求項７】
近距離通信装置と近距離通信が可能な非接触通信部と、前記非接触通信部が前記近距離通信装置との近距離通信時に予め設定された１ないし複数の通信方式の通信モードへ切り替える制御部とを備える携帯端末であって、前記制御部は１ないし複数の通信方式の通信モードに切り替え後、所定の時間間隔の電界強度のサーチにより圏外の通信方式を検出した場合に、当該圏外の通信方式の前記サーチの時間間隔を拡大することを特徴とする携帯端末。
【請求項８】
前記制御部は、前記サーチの時間間隔を拡大した通信方式が圏内に移行した場合に、当該通信方式のサーチの時間間隔を元に戻すことを特徴とする請求項７記載の携帯端末。
【請求項９】
前記制御部は、ユーザ操作部の操作により前記近距離通信装置及び切り替える前記１ないし複数の通信方式を予め登録、設定することを特徴とする請求項７又は８記載の携帯端末。
【請求項１０】
前記制御部は、ユーザ操作部の操作により切り替える通信方式の端末設定を予め設定し、前記圏外の通信方式を含まない通信方式への切り替え時に端末設定を行うことを特徴とする請求項７から９の何れかの請求項記載の携帯端末。
【請求項１１】
前記通信モードの切り替えは、少なくとも携帯電話機網を使った移動体通信方式と無線ＬＡＮ通信との間の切り替えを含むことを特徴とする請求項７から１０の何れかの請求項記載の携帯端末。
【請求項１２】
前記近距離通信は、非接触ＩＣカードによる通信であることを特徴とする請求項７から１１の何れかの請求項記載の携帯端末。
【請求項１３】
携帯端末の通信モード切替方法であって、近距離通信装置との近距離通信時に予め設定された１ないし複数の通信方式の通信モードへ切り替えるステップと、前記通信モードに切り替え後、所定の時間間隔の電界強度のサーチにより圏外の通信方式を検出した場合に、当該圏外の通信方式の前記サーチの時間間隔を拡大するステップと、を含むことを特徴とする通信モード切替方法。
【請求項１４】
前記サーチの時間間隔を拡大した通信方式が圏内に移行した場合に、当該通信方式のサーチの時間間隔を元に戻すステップを含むことを特徴とする請求項１３記載の携帯端末システム。
【請求項１５】
前記携帯端末のユーザ操作部の操作により前記近距離通信装置及び切り替える前記１ないし複数の通信方式を予め登録、設定するステップを含むことを特徴とする請求項１３又は１４記載の通信モード切替方法。
【請求項１６】
前記携帯端末のユーザ操作部の操作によりユーザ操作部の操作により切り替える通信方式の端末設定を予め設定するステップを含み、前記圏外の通信方式を含まない通信方式へ切り替えるステップは、当該切り替え時に端末設定を行うことを特徴とする請求項１３から１５の何れかの請求項記載の通信モード切替方法。
【請求項１７】
前記通信モードの切り替えは、少なくとも携帯電話機網を使った移動体通信方式と無線ＬＡＮ通信との間の切り替えを行うステップを含むことを特徴とする請求項１３から１６の何れかの請求項記載の通信モード切替方法。
【請求項１８】
前記近距離通信は、非接触ＩＣカードによる通信であることを特徴とする請求項１３から１７の何れかの請求項記載の通信モード切替方法。
【請求項１９】
携帯端末の通信モード切替用のプログラムであって、近距離通信装置との近距離通信時に予め設定された１ないし複数の通信方式の通信モードへ切り替えるステップと、前記通信モードに切り替え後、所定の時間間隔の電界強度のサーチにより圏外の通信方式を検出した場合に、当該圏外の通信方式の前記サーチの時間間隔を拡大するステップと、を含むことを特徴とするプログラム。
【請求項２０】
前記サーチの時間間隔を拡大した通信方式が圏内に移行した場合に、当該通信方式のサーチの時間間隔を元に戻すステップを含むことを特徴とする請求項１９記載のプログラム。
【請求項２１】
前記携帯端末のユーザ操作部の操作により前記近距離通信装置及び切り替える前記１ないし複数の通信方式を予め登録、設定するステップを含むことを特徴とする請求項１９又は２０記載のプログラム。
【請求項２２】
前記携帯端末のユーザ操作部の操作により切り替える通信方式の端末設定を予め設定するステップを含み、前記圏外の通信方式を含まない通信方式へ切り替えるステップは、当該切り替え時に端末設定を行うことを特徴とする請求項１９から２１の何れかの請求項記載のプログラム。
【請求項２３】
前記通信モードの切り替えは、少なくとも携帯電話機網を使った移動体通信方式と無線ＬＡＮ通信との間の切り替えを行うステップを含むことを特徴とする請求項１９から２２の何れかの請求項記載のプログラム。
【請求項２４】
前記近距離通信は、非接触ＩＣカードによる通信であることを特徴とする請求項１９から２３の何れかの請求項記載のプログラム。
【発明の詳細な説明】
【技術分野】
【０００１】
本発明は、近距離通信機能付き携帯端末に関し、特に複数の通信モードを利用可能な携帯端末の携帯端末システム、携帯端末、通信モード切替方法及びプログラムに関する。
【背景技術】
【０００２】
近年の内線のように使われる無線ＬＡＮ機能付き携帯電話機においては、特に建物内等の無線ＬＡＮ環境にあるエリアで使用するときに限り無線ＬＡＮモード（無線ＬＡＮ機能の通信モード）を動作させ、無線ＬＡＮ環境のないエリアでは省電力化の観点から無線ＬＡＮモードをキー操作により停止させ、通信モードの切替を行うシステムが考えられるが、このようなシステムは通信モードの切り替えのためのキー操作が煩わしいという問題がある。
【０００３】
また、無線ＬＡＮエリアの入り口等に非接触リーダ／ライタ（Ｒ／Ｗ）を設置し、該エリアに入るときに非接触リーダ／ライタ（Ｒ／Ｗ）に携帯電話機等の情報処理装置をかざすことにより、移動体通信網上の通信モードに加えて無線ＬＡＮの通信モードを追加するように切り替えるシステムが知られている（特許文献１）。
【特許文献１】特開２００６−３１９８７８号公報
【発明の開示】
【発明が解決しようとする課題】
【０００４】
無線ＬＡＮエリアの入り口等に設置した非接触リーダ／ライタにより、それまで携帯電話機等の情報処理装置に設定されていた移動体通信網上の通信モードに加えて、自動的に無線ＬＡＮの通信モードを追加するように切り替えるシステムは、ユーザの操作が不要であるから利便性が高いが、無線ＬＡＮエリア内において、必ずしも無線ＬＡＮ環境が整っていなかったり、当該エリアでは移動体通信網上の通信環境にない場合等があり、このような場合には、何れか又は複数の通信モードの処理動作の稼動により無駄な電力消費が生じる。
【０００５】
本発明の目的は、圏外の通信方式の稼動による無駄な電力消費を抑制することが可能な携帯端末システム、携帯端末、通信モード切替方法及びプログラムを提供することにある。
【課題を解決するための手段】
【０００６】
本発明の第１の携帯端末システムは、近距離通信装置と、前記近距離通信装置との近距離通信時に予め設定された１ないし複数の通信方式の通信モードへ切り替える制御部を備える携帯端末と、からなる携帯端末システムにおいて、前記携帯端末の制御部は１ないし複数の通信方式の通信モードに切り替え後、所定の時間間隔の電界強度のサーチにより圏外の通信方式を検出した場合に、当該圏外の通信方式の前記サーチの時間間隔を拡大することを特徴とする。
【０００７】
本発明の第１の携帯端末は、近距離通信装置と近距離通信が可能な非接触通信部と、前記非接触通信部が前記近距離通信装置との近距離通信時に予め設定された１ないし複数の通信方式の通信モードへ切り替える制御部とを備える携帯端末であって、前記制御部は１ないし複数の通信方式の通信モードに切り替え後、所定の時間間隔の電界強度のサーチにより圏外の通信方式を検出した場合に、当該圏外の通信方式の前記サーチの時間間隔を拡大することを特徴とする。
【０００８】
本発明の第１の通信モード切替方法は、携帯端末の通信モード切替方法であって、近距離通信装置との近距離通信時に予め設定された１ないし複数の通信方式の通信モードへ切り替えるステップと、前記通信モードに切り替え後、所定の時間間隔の電界強度のサーチにより圏外の通信方式を検出した場合に、当該圏外の通信方式の前記サーチの時間間隔を拡大するステップと、を含むことを特徴とする。
【０００９】
本発明の第１のプログラムは、携帯端末の通信モード切替用のプログラムであって、近距離通信装置との近距離通信時に予め設定された１ないし複数の通信方式の通信モードへ切り替えるステップと、前記通信モードに切り替え後、所定の時間間隔の電界強度のサーチにより圏外の通信方式を検出した場合に、当該圏外の通信方式の前記サーチの時間間隔を拡大するステップと、を含むことを特徴とする。
【発明の効果】
【００１０】
本発明によれば、圏外の通信方式の電界強度のサーチ間隔の拡大により無駄な電力消費を抑制することが可能である。
【発明を実施するための最良の形態】
【００１１】
（第１の実施形態）
本発明の携帯端末システム、携帯端末、通信モード切替方法及びプログラムの実施形態について説明する。
【００１２】
図１は本発明の第１の実施形態の携帯端末システム、携帯端末、通信モード切替方法及びプログラムを示す図である。本実施形態の携帯端末システムは、図１（ａ）に示すように、１ないし複数の通信方式（同図（ａ）は携帯電話機網を使った移動体通信の例）が利用可能な通信環境のエリアＡと、１ないし複数の通信方式（同図（ａ）は移動体通信及び無線ＬＡＮの例）が利用可能な通信環境のエリアＢとからなり、エリアＢの入り口等に設置した非接触ＩＣカード等を搭載した近距離通信装置２及びユーザが携帯する近距離通信機能付き携帯端末１から構成される。
【００１３】
ユーザの携帯端末１がエリアＡにおいて、１ないし複数の通信方式の通信モードで動作中に、ユーザの移動に伴い携帯端末１がエリアＢに移動する際、携帯端末１が近距離通信装置２と近距離通信を行うと、エリアＢに設定された１ないし複数の通信方式に通信モードが切り替わり、この後、携帯端末１は切り替わった１ないし複数の通信方式で電界強度のサーチ処理により圏外か否かを判断し、圏外の通信方式が存在した場合に、当該通信方式のサーチ間隔を拡大する。
【００１４】
例えば、図１（ａ）のようにエリアＢへ移動した際、移動体通信網及び無線ＬＡＮの両方が圏内の場合は移動体通信網及び無線ＬＡＮの両方の通信方式が動作し、また、少なくとも一方が圏外の場合は、圏外の通信方式の電界強度のサーチ間隔を、例えば最大間隔等に拡大する。圏外の通信方式のサーチ間隔を拡大することにより、サーチ処理による電力消費が節約できる。
【００１５】
また、本実施形態の通信モード切替方法は、図１（ａ）に示す携帯端末システムに係る携帯端末の通信モード切替方法であって、エリアＡからエリアＢへ移動する際、図１（ｂ）に示すように、近距離通信装置２との近距離通信を行うステップ（Ｓ０１）と、予め設定された１ないし複数の通信方式の通信モードへ切り替えるステップ（Ｓ０２）と、前記通信モードの切り替え後に当該通信モードの電界強度のサーチ処理により圏外を検出した場合に該通信モードのサーチ間隔を拡大するステップ（Ｓ０３）と、を含む。以上のように圏外の通信方式のサーチ間隔を拡大することにより、サーチ処理による電力消費が節約できる。
【００１６】
（第２の実施形態）
図２は本発明の第２の実施形態の携帯端末の構成を示す図である。
【００１７】
本携帯端末１は、端末全体の制御を行う制御手段である制御部１０、ユーザの入力操作に対するインターフェースとしてのユーザ操作部１１、各種データや制御部１０の制御プログラムを格納する格納手段としてのＲＯＭ（Read Only Memory）、制御部１０のワークエリアとしての使用や、一時的なユーザ設定を格納するＲＡＭ（Random Access Memory）等からなるメモリ１２、本携帯端末１の電源部１３、制御部１０の指示により各種表示が可能なＬＣＤ（Liquid Crystal Display）１４、携帯端末１のカウンタの基準クロックを発生するクロック部１５と基準クロックをカウントし、電界強度のサーチの時間間隔等を決定するカウンタ１６、携帯電話機網で通信する場合の無線部となる携帯電話機無線部１７、無線ＬＡＮ通信を行う場合の無線部となる無線ＬＡＮ無線部１８、及び非接触ＩＣカード等が搭載された近距離通信装置２に接近時に近距離通信（非接触近距離無線通信）により、非接触ＩＣカード等からの信号を受信する非接触ＩＣカード読取等を行う無線部としての非接触通信部１９を備える。また、制御部１０は携帯端末１を制御する端末制御部１０１、非接触通信部１９からのデータを制御する非接触通信制御部１０２として機能する。
【００１８】
ここで、端末制御部１０１は、ユーザ操作部１１からの入力操作による近距離通信装置２に搭載されている非接触ＩＣカードの識別情報等の登録機能と、切り替える通信モードの選択情報等の登録機能と、非接触通信制御部１０２からの前記非接触ＩＣカードとの通信時の通知を受け、選択された通信モードに切り替える制御機能と、通信モードの切替後に携帯電話無線部１７及び無線ＬＡＮ無線部１８を制御し、携帯電話機網を使った移動体通信と無線ＬＡＮによる通信の通信モードによる電界強度のサーチ処理を行う機能と、各通信モードの通信方式の圏内の情報等を取得する処理により、圏内か圏外かを判定し、圏外の通信方式のサーチ間隔を拡大する制御機能と、を有する。
【００１９】
また、携帯電話無線部１７及び無線ＬＡＮ無線部１８は、端末制御部１０１からの制御により圏内か否かの電界強度のサーチ機能及びサーチの時間間隔として、通常の通信時等の所定の時間間隔と当該間隔より拡大した、例えば最大値等の時間間隔との間で切り替える機能を有する。
【００２０】
つまり、非接触通信制御部１０２は、非接触通信部１９が近距離通信装置２の非接触ＩＣカードと近距離無線通信を行った場合に、当該非接触ＩＣカードの識別情報等を検出して端末制御部１０１に通知し、端末制御部１０１は前記非接触ＩＣカードの識別情報等を受信すると、該非接触ＩＣカードが予め登録された非接触ＩＣカードか否かを判断し、登録された非接触ＩＣカードの場合に、予め選択、設定されている通信モード（例えば移動体通信方式、無線ＬＡＮ通信方式、移動体通信方式と無線ＬＡＮ通信方式等）に基づいて、現時点の通信モード（例えば移動体通信方式）から予め選択、設定されている通信モード（例えば移動体通信方式と無線ＬＡＮ通信方式等）に切り替え、切り替えた通信モードで電界強度のサーチ処理を制御し、圏内か圏外かを検出し、圏外の通信方式のサーチ間隔を最大値等に拡大する制御を行う。
【００２１】
（第２の実施形態の動作）
本発明の第２の実施形態の動作をフローチャートにより以下説明する。本実施形態の携帯端末１は、切り替える通信モードとして、携帯電話機網を使った移動体通信ベアラのみや無線ＬＡＮのみのような１つの通信ベアラだけの通信モードだけでなく、複数のベアラを選択することが可能であるが、第２の実施形態として、携帯電話機網を使った移動体通信の通信モードから、同携帯電話機網を使った移動体通信及び無線ＬＡＮ通信の通信モードへの切り替えを行う場合について以下説明する。
【００２２】
図３は第２の実施形態の処理フローチャートを示す図である。  
まず、ユーザはユーザ操作部１１の操作により、あらかじめ携帯端末の非接触通信機能を起動させ、非接触ＩＣカードの読取機能を稼動状態とし、あらかじめ通信モードの切り替え制御のトリガとなる近距離通信装置２の非接触ＩＣカードの識別情報等をメモリ等に記録することにより携帯端末１に登録するとともに、前記非接触ＩＣカードの読取時に切り替えるべき通信モードを選択する（Ｓ１１）。
【００２３】
ここで非接触ＩＣカードの読取り機能の起動は、ユーザのキー操作による起動や、折り畳み型携帯端末の場合には折り畳まれた状態から開いた状態にすることに連動させて起動させるように構成することができ、また、他の設定手段とすることもできる。本実施形態では、ユーザは切り替え先の通信モードとして、携帯電話機網を使った移動体通信と無線ＬＡＮによる通信の各通信モードを選択、設定する。
【００２４】
次に、ユーザは携帯端末を携帯して所定エリアの入り口等に移動し、当該入り口等に設置された近距離通信装置２の非接触ＩＣカードの配置箇所に携帯端末をかざすと、携帯端末は非接触通信部１９で前記非接触ＩＣカードの識別情報等を読み取り、非接触通信制御部１０２は非接触ＩＣカードの識別情報等を入力し端末制御部１０１に通知する（Ｓ１２）。
【００２５】
端末制御部１０１は、非接触通信制御部１０２から通知された識別情報等により、近距離通信装置２の非接触ＩＣカードが登録された非接触ＩＣカードであるか否かを判断する（Ｓ１３）。
【００２６】
端末制御部１０１は入力した非接触ＩＣカードの識別情報等により事前に登録された近距離通信装置であると判定すると、あらかじめ選択されていた通信ベアラである携帯電話機網を使った移動体通信と無線ＬＡＮによる通信を許可する通信モードに切り替える（Ｓ１４）。次に端末制御部１０１は、携帯電話無線部１７及び無線ＬＡＮ無線部１８を制御し、携帯電話機網を使った移動体通信と無線ＬＡＮによる通信の通信モードによる電界強度のサーチ処理を行い（Ｓ１５）。各通信モードの通信方式の圏内の情報等を取得する処理により、圏内か圏外かを判定する（Ｓ１６）。
【００２７】
端末制御部１０１はサーチ処理の結果、何れの通信方式でも圏内が検出された場合、携帯電話機網を使った移動体通信と無線ＬＡＮによる通信の通信モードへの切り替えを確定する（Ｓ１６、ＮＯ）。
【００２８】
また、ステップＳ１６で何れかの通信方式で圏外が検出された場合は（Ｓ１６、ＹＥＳ）、圏外の通信方式のサーチ間隔を最大値等に切り替える（Ｓ１７）。つまり、携帯電話機網を使った移動体通信と無線ＬＡＮによる通信の何れか一方又は両方が圏外の場合は、前記一方又は両方のサーチ間隔を最大値等に拡大（変更）し、電力消費を抑制する。
【００２９】
更に、端末制御部１０１は、サーチ間隔を最大値等に拡大した通信方式が圏外から圏内に移行したか否かを判断し（Ｓ１８）、圏内に移行した通信方式のサーチ間隔を元に戻す（Ｓ１９）。
【００３０】
また、ステップＳ１３で携帯端末１に登録されていない非接触ＩＣカードの場合は、通信モードを切り替えることなく、それぞれまでの携帯電話機網を使った移動体通信を許可する通信モードのままとする（Ｓ２０）。
【００３１】
本実施形態によれば、非接触ＩＣカードの登録と、切り替える通信モードの選択、設定とを行っておくことにより、切替え先の通信方式の切り替えを簡単に行うことができるとともに、圏外の通信方式のサーチ間隔の拡大により電力消費を抑制できる。また、複数の非接触ＩＣカードの登録とそれぞれの通信モードの選択、設定を行うことにより、非接触ＩＣカード別の通信方式への切り替えを関連付けて行うことも可能であるから、ユーザの利便性を向上させることができる。
【００３２】
（第３の実施形態）
第２の実施形態においては、通信モードの切り替えに関して説明したが、実際には通信モードの切り替え時には携帯端末の設定を変更する場合がある。例えば、無線ＬＡＮの場合では無線ＬＡＮ通信といってもセキュリティ設定やチャネル設定などの、各無線ＬＡＮ環境・アクセスポイントに応じた設定が必要である。これらの設定はプロファイルと呼ばれるが、その都度、キー操作を行うのは煩わしいので、通信モードの切り替えとともに携帯端末のプロファイルなどの設定を変更するように構成することができる。
【００３３】
図４は本発明の第３の実施形態の処理フローチャートを示す図である。本実施形態ではユーザ操作部１１からのプロファイル設定操作により、端末制御部１０１は通信モードの切替時のプロファイル設定をメモリ等に記憶し、該記憶情報により非接触ＩＣカードの読取と連動して通信モードの切り替えと同時にプロファイルなどの設定変更を行う制御機能を有する。
【００３４】
図４に示すステップＳ２２〜Ｓ２６、Ｓ３４の処理は図３に示すステップＳ１２〜Ｓ１６、Ｓ２０と同様である。
【００３５】
ユーザはユーザ操作部１１を通して非接触通信機能を起動させて非接触ＩＣカード及び切替える通信モードをあらかじめ携帯端末に登録するとともに、非接触ＩＣカード読取時に切り替える通信ベアラとモード切替後の設定を確定しておく（Ｓ２１）。
【００３６】
非接触通信部１９により非接触ＩＣカードが読み取られると（Ｓ２２）、それが登録された非接触ＩＣカードであるか否かを端末制御部１０１にて判断する（Ｓ２３）。端末制御部１０１が登録された非接触ＩＣカードと判定すると、あらかじめ選択された通信ベアラを許可するモードへ切り替え（Ｓ２４）、モード切替後の通信方式による所定の時間間隔の電界強度のサーチ処理を行い（Ｓ２５）、切り替えた通信方式で全て圏内が検出された場合は（Ｓ２６、ＮＯ）、切り替えた通信方式の携帯端末の設定を行う（Ｓ２７）。
【００３７】
また、ステップＳ２６で、切替えた通信方式に圏外の通信方式が検出され（Ｓ２６、ＹＥＳ）、一部圏内の通信方式が検出された場合は（Ｓ２８、ＹＥＳ）、端末制御部１０１は当該圏内の通信方式の携帯端末の設定を行い（Ｓ２９）、圏外の通信方式はサーチ間隔を最大値等に拡大し（Ｓ３０）、当該通信方式の圏内への移行を判断する（Ｓ３１）。
【００３８】
そして、端末制御部１０１は、圏外の通信方式の圏内への移行を検出した場合は（Ｓ３１、ＹＥＳ）、当該通信モードのサーチ間隔を元のサーチ間隔に戻し（Ｓ３２）、圏内へ移行した（圏外だった）通信方式について携帯端末の設定を行う（Ｓ３３）。
【００３９】
また、ステップＳ２３で端末制御部１０１は非接触通信部１９により読み取られた非接触ＩＣカードが携帯端末１に登録されていない非接触ＩＣカードの場合は、通信モードを切り替えることなく、それまでの通信モードのままとする（Ｓ３４）。
【００４０】
本実施形態によれば、非接触ＩＣカードの登録と、切り替える通信モード及びプロファイルの選択、設定を行っておくことにより、切り替え先の通信方式の切り替えとプロファイル変更を関連付けて行うことができとともに、圏外の通信方式のサーチ間隔の拡大により電力消費を抑制できる。また、複数の非接触ＩＣカードの登録とそれぞれの切り替え通信モードの選択、設定、プロファイル変更などを行うことにより、非接触ＩＣカード別の通信方式の切り替えとプロファイル変更を関連付けて行うことも可能であるから、ユーザの利便性を向上させることができる。
【００４１】
（他の実施形態）
以上の実施形態においては、通信環境の異なるエリアの境界エリアへ移動時にそれまでの通信方式と切り替え先の通信方式として、携帯電話機網を使った移動体通信から同携帯電話機網を使った移動体通信と無線ＬＡＮ通信モードへの切り替えの例で説明したが、本発明は１ないし複数の通信方式の切り替えに切り替え元の１ないし複数の通信方式との関係から各種の組み合わせが適用可能である。
【００４２】
図６は本発明の通信モードの切り替え例を示す図である。同図（ａ）〜（ｃ）に示すように、携帯電話機網を使った移動体通信と無線ＬＡＮ通信の間の切り替え、携帯電話機網を使った移動体通信と携帯電話機網を使った移動体通信及び無線ＬＡＮ通信の間の切り替え、無線ＬＡＮ通信と携帯電話機網を使った移動体通信と及び無線ＬＡＮ通信の間の切り替え、等が可能であり、更に、無線ＬＡＮ通信と携帯電話機網を使った移動体通信はそれぞれ１〜複数とすることが可能である。また更に、ＰＨＳ通信、その他の通信方式の組み合わせとすることが可能である。
【００４３】
また、ユーザが携帯端末に事前に非接触ＩＣカード等の登録及び切り替え通信モードの選択、設定を行う構成例を示したが、非接触ＩＣカード等の登録は携帯端末に予め設定するように構成してよいし、切り替え通信モードはエリアの境界等の非接触ＩＣカード等を搭載する近距離通信装置側から指定するようにし、携帯端末の接近時に前記近距離通信装置から指定信号を出力し、携帯端末は前記指定信号を受信して通信モードを切り替えるように構成することができる。
【００４４】
また、以上の各実施形態において、エリア間での通信モードの切り替え前後で同じ通信方式が許可され、両エリアで当該通信方式の通信環境が良好な場合には、切り替え後の同じ通信方式でのサーチを省略し、許可されていなかった通信方式でのみサーチを行うように構成することができる。
【００４５】
例えば、携帯電話機網を用いた移動体通信のみが許可されたモードから、移動体通信と無線ＬＡＮの双方を許可する通信モードへ切り替える場合には、無線ＬＡＮ無線部１８を用いて帰属可能な無線ＬＡＮアクセスポイントが存在するか否かをサーチし、切り替え前の通信モードで許可されていた通信方式である携帯電話機網を使った移動体通信のサーチを省略し、無線ＬＡＮ通信のサーチの結果、無線ＬＡＮ通信が圏外の場合には、そのサーチ間隔を拡大するとともに、携帯電話機網を使った移動体通信はそのままとするように構成できる。
【００４６】
更に、各実施形態において、サーチ処理の時間間隔は通常の時間間隔から最大値に切り替える例を示したが、サーチの時間間隔の拡大の制御は、例えば通常のサーチ間隔（最短）を２秒とし、圏外を検出した場合は、経時的に、例えば２秒、４秒、８秒、１６秒と徐々に伸ばし、３０秒を超えた場合は、３０秒ずつ伸ばし、３００秒を最大とする等の制御とすることができる。
【００４７】
また、携帯端末の一方のエリアから他方のエリアへの移動時の近距離通信装置との通信による通信モードの切り替え動作を説明したが、本発明は他方のエリアから一方のエリアへの移動時にも適用可能である。この場合、新たな近距離通信装置を設置することで実施することが可能であるが、一方のエリアから他方のエリアへの移動した情報を携帯端末に記憶させることにより、他方のエリアから一方のエリアへの移動時にも同一の近距離通信装置との通信により、当該情報に基づいて元の通信モードに切り替えるように構成することが可能である。この場合にも以上の各実施形態の処理が適用できることは明らかである。
【００４８】
次に、本発明の以上の実施形態の処理は、ハードウェアにより実行させることが可能であるとともに、ソフトウェアにより実行させることが可能である。一連の処理をソフトウェアにより実行させる場合には、以上の各実施形態の機能を実現するソフトウェアのプログラムコードをメモリ１２等の記憶部に格納し、制御部を構成するコンピュータ（ＣＰＵ、ＭＰＵ（Micro Processing Unit））が前記記憶部に格納されたプログラムコードを読み込み、前記端末制御部１０１及び非接触通信制御部１０２等の機能を実現するように構成する。
【００４９】
また、プログラムコードを記憶した記憶媒体を使用し、この記憶媒体からプログラムコードを読み出し、前記記憶部に格納することができる。記録部へのプログラムの格納は、必要に応じて携帯電話無線部１７、無線ＬＡＮ無線部１８等を介して、ローカルエリアネットワーク、インターネット等の通信媒体を利用して行われるように構成することができる。
【００５０】
この場合も前記記憶媒体又は記憶部のプログラムコード自体が以上説明した各実施形態の機能を実現することになり本発明を構成することになる。プログラムコードを供給するための記憶媒体としては、例えば、磁気ディスク、ハードディスク、光ディスク、光磁気ディスク、不揮発性のメモリーカード等とすることができる。
【００５１】
各実施形態も制御部を構成するＣＰＵは記憶部のプログラムを読み込み、読み込んだプログラムにより制御され、キー操作部から入力される指令に応じて、以上説明した各種の機能を実現する処理を実行する。
【００５２】
以上説明したように、携帯電話機網を用いた移動体通信と無線ＬＡＮ通信のように複数の通信方式を利用できる携帯端末に非接触ＩＣカード等の情報を読み込ませるだけで、ユーザがキー操作することなく、自動的な通信モードの切り替え時に、圏外の通信方式のサーチ間隔を拡大できるため、本発明により利便性が向上するとともに、無駄な電力消費を抑制することが可能となる。
【００５３】
本発明の各実施形態は、上述した実施形態に限定されるものではなく、本発明の要旨を逸脱しない範囲において種々の変更が可能である。
【図面の簡単な説明】
【００５４】
【図１】本発明の第１の実施形態の携帯端末システム、携帯端末、通信モード切替方法及びプログラムを示す図である。
【図２】本発明の第２の実施形態の携帯端末の構成を示す図である。
【図３】第２の実施形態の処理フローチャートを示す図である。
【図４】本発明の第３の実施形態の処理フローチャートを示す図である。
【図５】本発明の通信モードの切り替え例を示す図である。
【符号の説明】
【００５５】
１  携帯端末
２  近距離通信装置
１１  ユーザ操作部
１２  メモリ
１３  電源部
１４  ＬＣＤ（Liquid Crystal Display）
１５  クロック部
１６  カウンタ
１７  携帯電話無線部
１８  無線ＬＡＮ無線部
１９  非接触通信部
１０１  端末制御部
１０２  非接触通信制御部
【図１】
2010103646.tif 000003
【図２】
2010103646.tif 000004
【図３】
2010103646.tif 000005
【図４】
2010103646.tif 000006
【図５】
2010103646.tif 000007